(57)【特許請求の範囲】
【請求項１】
メイン刃（２）と、メイン刃（２）を駆動するモーター（４）を有し、
二分割された前後ケース（１ａ）・（１ｂ）で構成される本体ケース（１）と、前後ケース（１ａ）・（１ｂ）で挟持固定されるモーターホルダー（１０）と、本体ケース（１）の前面に組み付けられるスイッチパネル（４１）と、スイッチパネル（４１）で上下にスライド切り換え可能に支持されるスイッチノブ（４２）とを備えており、
前ケース（１ａ）の前面には、スイッチパネル（４１）を収容する左右広幅のパネル凹部（３９）が形成されており、
スイッチパネル（４１）は、スイッチノブ（４２）を摺動案内するガイド凹部（４３）と、ガイド凹部（４３）の下部に膨出形成されるストッパー部（４４）とを備えていて、全体がパネル凹部（３９）に嵌り込む状態で前ケース（１ａ）に係合装着されており、
スイッチパネル（４１）と、ガイド凹部（４３）に係合装着したスイッチノブ（４２）とが、パネル凹部（３９）の両側面（３９ｓ）で左右遊動不能に受け止められており、
スイッチパネル（４１）の上部内面に、後ろ向きに突出する規制リブ（４６）が形成されており、
スイッチパネル（４１）をパネル凹部（３９）に嵌め込み装着した状態において、規制リブ（４６）を前ケース（１ａ）に形成した段部（７４）とモーターホルダー（１０）とで上下に挟持して、スイッチパネル（４１）の上下動が規制してある電気かみそり。
【請求項２】
前ケース（１ａ）の前面に、左右横長のきわ剃刃（３）を収容する上区室（３８）と、上区室（３８）と同幅のパネル凹部（３９）とが上下に隣接する状態で形成されており、
上区室（３８）の内奥および内底が、モーターホルダー（１０）に形成した縦壁（３２）と、縦壁（３２）の下部に連続するフランジ壁（３３）とで区画されており、
規制リブ（４６）と前ケース（１ａ）の段部（７４）との前後接合面の上端がフランジ壁（３３）で覆われて、スイッチパネル（４１）の規制リブ（４６）が、前ケース（１ａ）の段部（７４）とモーターホルダー（１０）のフランジ壁（３３）とで上下に挟持されている請求項１記載の電気かみそり。
【請求項３】
前ケース（１ａ）とスイッチノブ（４２）との間に、スイッチノブ（４２）をオフ位置においてロック保持するロック機構が設けられており、
スイッチノブ（４２）の板面中央寄りに一文字状の指当リブ（５１）が膨出形成されて、指当リブ（５１）の幅方向中央部に、先のロック機構をロック解除操作する解除ボタン（６０）が組み付けてある請求項２記載の電気かみそり。
【発明の詳細な説明】
【技術分野】
【０００１】
本発明は電気かみそりに関し、そのスイッチ構造を改良したものである。
【背景技術】
【０００２】
本発明に関して、本体ケースとは別に設けたスイッチパネルや化粧パネルで、スイッチノブをスライド切り換え自在に支持することは、例えば特許文献１に公知である。本発明の電気かみそりにおいては、スイッチノブを一定量押し上げ操作すると、モーターが起動してメイン刃の内刃が往復駆動され、さらにスイッチノブを押し上げ操作すると、きわ剃刃が起立してその可動刃が駆動されるが、このような二段切り換え式のスイッチノブを備えた電気かみそりは特許文献２に公知である。ただし特許文献２の電気かみそりでは、前後に二分割された本体ケースでスイッチノブをスライド切り換え自在に支持している。
【０００３】
【特許文献１】特開２００５−１０２９１６号公報（段落番号００２３、図５）
【特許文献２】特開平４−２６１６９０号公報（段落番号００１７、図２）
【発明の開示】
【発明が解決しようとする課題】
【０００４】
特許文献１の電気かみそりによれば、本体ケースとは別体のスイッチパネルでスイッチノブをスライド切り換え自在に支持するので、色が異なる複数種のスイッチパネルを本体ケースに組み付けることにより、外観の印象が異なる電気かみそりをシリーズ商品化できる。しかし、スイッチパネルの接合面に設けた係合爪を本体ケースの係合穴に圧嵌係合して、スイッチパネルを本体ケースに固定するので、スイッチパネルががた付くおそれがある。スイッチパネルに化粧ケースを被せ付けてスイッチパネルのがた付きを防いでいるが、化粧ケースの分だけケース構造が複雑になるのを避けられない。
【０００５】
特許文献２の電気かみそりでは、本体ケースを構成する前ケースにスイッチノブを直接組み付けて、スライド切り換え自在に支持している。そのため、とくにきわ剃刃を使用するとき、前ケースとスイッチノブのスライド隙間や、前ケースときわ剃ケースとのスライド隙間から毛屑が本体ケース内に入り込むおそれがある。本体ケース内に入り込んだ毛屑は、腐敗して異臭発生の原因になるうえ、スイッチ端子に付着して導通不良を生じるおそれもある。
【０００６】
本発明の目的は、ケース構造が複雑になるのを避けながらスイッチパネルを強固に固定できるうえ、スライド切り換えされるスイッチノブの操作性を向上できる電気かみそりを提供することにある。本発明の目的は、メイン刃やきわ剃刃を使用する際に、毛屑が本体ケース内へ入り込むのを確実に防止でき、したがって、衛生的で導通不良等の電気的な障害を一掃できる電気かみそりを提供することにある。
【課題を解決するための手段】
【０００７】
本発明の電気かみそりは、メイン刃２と、メイン刃２を駆動するモーター４を有し、さらに二分割された前後ケース１ａ・１ｂで構成される本体ケース１と、前後ケース１ａ・１ｂで挟持固定されるモーターホルダー１０と、本体ケース１の前面に組み付けられるスイッチパネル４１と、スイッチパネル４１で上下にスライド切り換え可能に支持されるスイッチノブ４２とを備えている。前ケース１ａの前面には、スイッチパネル４１を収容する左右広幅のパネル凹部３９を形成する。スイッチパネル４１は、スイッチノブ４２を摺動案内するガイド凹部４３と、ガイド凹部４３の下部に膨出形成されるストッパー部４４とを備えていて、全体がパネル凹部３９に嵌り込む状態で前ケース１ａに係合装着される。以て、スイッチパネル４１と、ガイド凹部４３に係合装着したスイッチノブ４２とを、パネル凹部３９の両側面３９ｓで左右遊動不能に受け止める。
【０００８】
スイッチパネル４１の上部内面に、後ろ向きに突出する規制リブ４６を形成する。以て、図６に示すようにスイッチパネル４１をパネル凹部３９に嵌め込み装着した状態において、規制リブ４６を前ケース１ａに形成した段部７４とモーターホルダー１０とで上下に挟持して、スイッチパネル４１の上下動を規制する。
【０００９】
前ケース１ａの前面に、左右横長のきわ剃刃３を収容する上区室３８と、上区室３８と同幅のパネル凹部３９とを上下に隣接する状態で形成する。上区室３８の内奥および内底を、モーターホルダー１０に形成した縦壁３２と、縦壁３２の下部に連続するフランジ壁３３とで区画する。規制リブ４６と前ケース１ａの段部７４との前後接合面の上端をフランジ壁３３で覆うことでスイッチパネル４１の規制リブ４６が、前ケース１ａの段部７４とモーターホルダー１０のフランジ壁３３とで上下に挟持されている。
【００１０】
前ケース１ａとスイッチノブ４２との間に、スイッチノブ４２をオフ位置においてロック保持するロック機構を設ける。スイッチノブ４２の板面中央寄りに一文字状の指当リブ５１を膨出形成して、指当リブ５１の幅方向中央部に、先のロック機構をロック解除操作するための解除ボタン６０を組み付ける。
【発明の効果】
【００１１】
本発明においては、前ケース１ａの前面に、左右広幅のパネル凹部３９を形成し、パネル凹部３９にスイッチパネル４１を係合装着し、さらにスイッチパネル４１のガイド凹部４３にスイッチノブ４２を係合装着して、スイッチパネル４１およびスイッチノブ４２を、パネル凹部３９の両側面３９ｓで左右遊動不能に受け止めるようにした。
【００１２】
このように、スイッチパネル４１を前ケース１ａのパネル凹部３９に嵌め込んで係合装着し、さらにスイッチパネル４１およびスイッチノブ４２を、パネル凹部３９の両側面３９ｓで左右遊動不能に規制保持すると、従来の電気かみそりとは異なり、スイッチパネル４１やスイッチノブ４２が左右方向へがた付くのを確実に防止できる。がた付きを防ぐために、別途化粧ケースを設ける必要もない。したがって本発明の電気かみそりによれば、ケース構造が複雑になるのを避けながら、スイッチパネル４１を本体ケース１に対して強固に固定できる。
【００１３】
左右広幅のパネル凹部３９を設け、その両側面３９ｓでスイッチノブ４２の側面を受け止めるので、従来の電気かみそりに比べて、スイッチノブ４２の左右幅を充分に大きくでき、その分だけスイッチノブ４２の操作性を向上できる。例えば、手や指が大きな使用者の場合であっても、面積が大きなスイッチノブ４２に指先をあてがって確実に切り換え操作できる。本体ケース１とは別にスイッチパネル４１を設けるので、色が異なる複数種のスイッチパネル４１を用意しておくことにより、外観の印象が異なる電気かみそりを容易にシリーズ商品化できる利点もある。
【００１４】
スイッチパネル４１の上部内面に設けた規制リブ４６を、前ケース１ａに形成した段部７４とモーターホルダー１０とで上下に挟持するようにした電気かみそりによれば、パネル凹部３９による左右方向へのがた付き防止作用に加えて、スイッチパネル４１の上下動をも同時に規制できるので、スイッチパネル４１を本体ケース１に対してさらに強固に固定して、電気かみそりの堅牢さを向上できる。スイッチパネル４１やスイッチノブ４２のがた付き騒音を低減できる利点もある。
【００１５】
前ケース１ａの前面に、きわ剃刃３を収容する上区室３８と、上区室３８と同幅のパネル凹部３９とを上下に隣接する状態で形成し、上区室３８の内奥および内底を、モーターホルダー１０に形成した縦壁３２とフランジ壁３３とで区画する電気かみそりにおいては、規制リブ４６と前ケース１ａの段部７４との前後接合面の上端を、モーターホルダー１０のフランジ壁３３で覆って、スイッチパネル４１の規制リブ４６が、前ケース１ａの段部７４とモーターホルダー１０のフランジ壁３３とで上下に挟持されているので、上区室３８内の毛屑が、規制リブ４６と段部７４との前後接合面に入り込むのをフランジ壁３３で防止できる。仮にフランジ壁３３と規制リブ４６との接合面に毛屑が入り込んだとしても、それ以上毛屑が侵入するのを阻止できるので、ひげそり時に毛屑が本体ケース１内へ入り込むのを確実に防止して、異臭の発生や導通不良等の電気的な障害を一掃でき、衛生的で信頼性に優れた電気かみそりを提供できる。スイッチパネル４１が透明なプラスチック材で形成してある場合でも、その内面に毛屑が入り込んで不衛生な印象を与えるのを解消できる。
【００１６】
スイッチノブ４２の板面中央寄りに一文字状の指当リブ５１を膨出形成して、指当リブ５１の幅方向中央部に、ロック機構をロック解除操作するための解除ボタン６０を組み付けるようにした電気かみそりによれば、スイッチノブ４２の任意の位置にあてがった指先を上下いずれかへ動かすだけで指当リブ５１に接当させ、その中央部の解除ボタン６０へと誘導できるので、手探り状態で指先を適正な位置にあてがうことができ、スイッチノブ４２の左右幅が充分に大きいことも相俟って電気かみそりの使い勝手をさらに向上できる。
【発明を実施するための最良の形態】
【００１７】
（実施例）  図１ないし図８は本発明に係る電気かみそりの実施例を示す。図１ないし図３において電気かみそりは、本体ケース１と、本体ケース１の上部に設けられるメイン刃２と、本体ケース１の前面上部に設けられるきわ剃刃３と、これら両刃２・３を駆動するモーター４、および２次電池５などで構成する。
【００１８】
本体ケース１は、前後に二分割された前ケース１ａおよび後ケース１ｂからなり、両ケース１ａ・１ｂを蓋合わせ状に接合したうえで、上下の２箇所ずつを４個のビス６（図４参照）で締結して筒ケース状に構成してある。前後ケース１ａ・１ｂの内面上下には、モーターホルダー１０とプラグケース１１とが挟持固定される。
【００１９】
メイン刃２は、スリット刃からなる内刃１３と、外刃ホルダー１４でアーチ状に保形される網刃構造の外刃１５とで構成する。図４に示すようにモーター４の回転動力を、偏心カム１６と振動子１７とで往復動力に変換したのち、振動子１７に設けた駆動軸１８を介して伝動することにより内刃１３が往復駆動される。駆動軸１８の周囲は、毛屑の侵入を防ぐパッキン１９で封止してある。外刃ホルダー１４は、本体ケース１の上部のヘッド部に着脱可能に外嵌装着されて、モーターホルダー１０の両側に設けたロック爪２０でロック保持してある。
【００２０】
図６においてきわ剃刃３は、ホルダー２１に固定される櫛刃からなる固定刃２２と、固定刃２２に沿って往復摺動する櫛歯構造の可動刃２３などで左右横長に構成してあり、先の振動子１７の往復動力を利用して可動刃２３を往復駆動する。きわ剃刃３は図６に実線で示す待機姿勢と、図６に想像線で示す作動姿勢との間で起伏揺動でき、後述するスイッチノブ４２を最上段まで押し上げ操作することにより待機姿勢から作動姿勢に切り換わり、同時に可動刃２３に設けた受動腕２４が振動子１７の前部に突設した駆動爪２５と係合して往復動力を受け継ぐ。
【００２１】
本体ケース１の内部には、モーター４、２次電池５、制御基板２６、変圧器２７などの電装品と、振動子１７と、モーターホルダー１０、およびプラグケース１１などが収容される。プラグケース１１には、受電用のプラグ２８がスライド出退可能に組み付けてある。前ケース１ａの下部には、電源電圧が１００Ｖか２００Ｖかに応じてスライド操作される切換スイッチ２９が設けてある。先の変圧器２７は、電源電圧が２００Ｖである場合に１００Ｖまで降圧するために設けられている。
【００２２】
モーターホルダー１０は、平板状の締結座３１と、締結座３１の上面前部に起立する縦壁３２と、縦壁３２の下部に連続するフランジ壁３３と、フランジ壁３３の下面に突設される受壁３４と、先のロック爪２０などを一体に形成したプラスチック成形品からなる。モーター４は、モーターホルダー１０の上面側からねじ込まれたビス３５で締結座３１に締結固定されて、受壁３４で前後に位置決めされる。
【００２３】
前ケース１ａの前面には、左右横長のきわ剃刃３を収容する上区室３８と、パネル凹部３９とが上下に隣接する状態で形成してある。図６に示すように、上区室３８の内奥および内底はモーターホルダー１０の縦壁３２とフランジ壁３３とで区画されている。パネル凹部３９は上区室３８と同幅で、前ケース１ａの過半部を占める大きさに形成してあり、その内部にスイッチパネル４１の全体が嵌め込み装着される。この実施例では、本体ケース１の全左右幅が５０mmであるとき、パネル凹部３９の左右幅を３2.５mmとしてきわ剃刃３の左右寸法より僅かに大きく設定した。
【００２４】
図１および図３に示すようにスイッチパネル４１は、パネル前面側にスイッチノブ４２を摺動案内するガイド凹部４３と、ガイド凹部４３の下部に膨出形成されてスイッチノブ４２のオフ位置を規定するストッパー部４４とを備えている。ガイド凹部４３とストッパー部４４との左右幅は、パネル凹部３９に密嵌できる幅寸法に設定してある。
【００２５】
ストッパー部４４の下端には、左右一対の下向きの係合突起４５が形成され、ガイド凹部４３の上部内面には、それぞれ後ろ向きに突出する直線状の規制リブ４６と、左右一対の係合爪４７とが一体に形成してある。パネル凹部３９の下端面とガイド凹部４３の下端面とは、それぞれ下凹み状の部分円弧面で形成してあり、スイッチノブ４２の下面およびストッパー部４４の下面は、先の部分円弧面に対応する下凸状の部分円弧面で形成してある。
【００２６】
パネル凹部３９の下端には、係合突起４５を受け入れる突起用凹部４８が形成され、パネル凹部３９の上部には、係合爪４７を受け入れる爪穴４９が形成されている。左右の係合突起４５を突起用凹部４８に上方から差し込み係合し、その状態のまま左右の係合爪４７を爪穴４９に前方から圧嵌係合することにより、スイッチパネル４１を前ケース１ａに対して分離不能に係合装着できる。この組み付け状態において、ストッパー部４４の表面は前ケース１ａの表面と面一になる。パネル凹部３９およびスイッチパネル４１の板面には、それぞれスイッチノブ４２の係合脚５２の上下スライドを許す開口３９ａ・４３ａが形成してある。ストッパー部４４の一側には、充電時に点灯する充電表示灯７が組み込んである（図１参照）。
【００２７】
スイッチノブ４２は、スイッチパネル４１と同幅で、ガイド凹部４３の７割以上の面積を占める板状体からなり、その前面に一文字状の指当リブ５１が膨出形成され、裏面側の上下に左右一対ずつの係合脚５２が一体に形成してある。スイッチノブ４２をガイド凹部４３に嵌め込み、その係合脚５２を先の開口３９ａ・４３ａに挿通し、さらに係合脚５２の先端の爪部分を後述するスライド板５５の係合穴５８に圧嵌係合することにより、スイッチノブ４２とスライド板５５とが、パネル凹部３９およびスイッチパネル４１の板面を間にして同行移動可能に一体化される（図８参照）。
【００２８】
この組み付け状態において、スイッチノブ４２の表面はストッパー部４４、および前ケース１ａの表面と滑らかに連続して面一になっている。スイッチノブ４２は先の開口３９ａ・４３ａの上下範囲内で上下スライドでき、ノブ側面４２ｓはパネル凹部３９の両側面３９ｓで左右遊動が規制された状態の許にスライド案内される。実際には、ノブ側面４２ｓとパネル凹部３９の両側面３９ｓとの対向隙間を0.１〜0.２mmとして、左右遊動を規制しながらスイッチノブ４２を上下スライド可能としている。
【００２９】
スイッチノブ４２を、図１に示すオフ位置と、オフ位置から上方へ一段押し上げたオン位置と、オン位置からさらに押し上げたきわ剃位置の各位置において位置保持するために節度機構を設け、さらにスイッチノブ４２をオフ位置においてロック保持するロック機構を設けている。
【００３０】
節度機構は、前ケース１ａと、前ケース１ａの内面に配置されるスライド板５５との間に設ける。詳しくは、図７に示すようにスライド板５５の下面に一体形成される一対の弾性爪５６と、前ケース１ａの内面に突設される上下一対の節度ピン（図示していない）とで節度機構を構成し、弾性爪５６が節度ピンを乗り越えるごとに、スイッチノブ４２を位置保持できるようにする。スライド板５５の板面の左右には、先の係合脚５２の爪部分と係合する係合穴５８が形成してある。
【００３１】
ロック機構は、スライド板５５を利用して前ケース１ａとスイッチノブ４２との間に設ける。詳しくは、図７に示すように、スライド板５５の左右中央部に、前後方向へ弾性変形できるロック腕５９を一体に形成し、その上端前面に解除ボタン６０を一体に形成する。さらに解除ボタン６０の基端寄りに位置するロック腕５９の板面にロック穴６１を形成し、前ケース１ａの内面にロック穴６１に落ち込み係合する突起６２（図３および図５参照）を形成する。スライド板５５をスイッチノブ４２と同行可能に一体化した状態においては、図１に示すように解除ボタン６０が指当リブ５１の中央部分に形成したボタン窓６３から露出している。
【００３２】
スイッチノブ４２がオフ位置にあるとき、突起６２はロック穴６１に落ち込み係合しているので、そのままではスイッチノブ４２を押し上げ操作できない。しかし、ボタン窓６３から露出する解除ボタン６０を押し込み操作すると、ロック腕５９が弾性変形してロック穴６１と突起６２との係合状態が解除されるので、スイッチノブ４２をオン位置へ押し上げ操作できる。さらに、スイッチノブ４２を押し上げ操作するときわ剃刃３を待機姿勢から作動姿勢に切り換えることができる。
【００３３】
図７において、きわ剃刃３の姿勢を切り換えるための機構は、スライド板５５の上部に設けた片持ち状の操作腕６６と、操作腕６６のスライド動作を受けて上下揺動するリンクバー６７と、リンクバー６７で上下操作される切換えレバー６８などからなる。切換えレバー６８の上端の爪６９は、きわ剃刃３のホルダー２１に設けた段部と係合している。スイッチノブ４２をオン位置からさらに押し上げ操作すると、操作腕６６の遊端がリンクバー６７の一端に接当係合して、リンクバー６７を軸７０の回りに揺動操作し、同時に切換えレバー６８を引き下げスライドさせる。その結果、きわ剃刃３は支軸７１の回りに上方揺動して作動姿勢に切り換わり、可動刃２３の受動腕２４が振動子１７の駆動爪２５と係合して、振動子１７の往復振動を受け継ぐ。スイッチノブ４２をオフ位置へ戻すと、きわ剃刃３は待機姿勢に復帰操作される。
【００３４】
モーター４、２次電池５、変圧器２７、制御基板２６、およびモーターホルダー１０や振動子１７などの駆動系とメイン刃２など、全てのパーツを前ケース１ａに組み付け、さらにスイッチパネル４１、スイッチノブ４２、およびきわ剃刃３などを前後ケース１ａ・１ｂに組み付けたのち、後ケース１ｂを前ケース１ａに接合し、両者をビス６で締結することにより電気かみそりを完成できる。この組み付け状態において、スイッチパネル４１のがた付きを防ぎ、同時にきわ剃刃３を使用する場合に毛屑が上区室３８を介して本体ケース１の内部に侵入するのを防ぐために、前ケース１ａとモーターホルダー１０とスイッチパネル４１との接合構造を次のように構成している。
【００３５】
図６に示すように、スイッチパネル４１と前ケース１ａとの上部接合面において、スイッチパネル４１の背面側に設けた規制リブ４６を、前ケース１ａに形成した段部７４とモーターホルダー１０のフランジ壁３３とで上下に挟持して、スイッチパネル４１を上下動不能に固定保持する。同時にパネル凹部３９の両側縁によってスイッチパネル４１の左右遊動を規制する。また、前ケース１ａの段部７４と規制リブ４６との接合面の上端を、モーターホルダー１０のフランジ壁３３で覆って、フランジ壁３３とスイッチパネル４１と前ケース１ａとの上部接合面を連続折曲面として形成する。規制リブ４６はスイッチパネル４１と一体に、しかも同パネル４１の全幅にわたって連続形成してある。実際には、規制リブ４６の左右幅はパネル４１の左右幅より僅かに小さく設定する。段部７４が形成される挟持壁７５の上面および後端面は、フランジ壁３３と受壁３４とに接合している。
【００３６】
上記のように、フランジ壁３３とスイッチパネル４１、およびスイッチパネル４１と前ケース１ａとの接合面を、直交迷路状の連続折曲面として構成すると、フランジ壁３３の上面に付着した毛屑は、連続折曲面に沿って幾度も侵入方向を変えながら侵入する以外になく、電気かみそりの往復振動が作用する状況下であっても、本体ケース１内に到達することはない。したがって、上区室３８内の毛屑が、規制リブ４６と段部７４との前後接合面に入り込むことはなく、仮にフランジ壁３３と規制リブ４６との接合面に毛屑が入り込んだとしても、連続折曲面においてそれ以上毛屑が侵入するのを阻止できる。また、規制リブ４６がスイッチパネル４１の全幅にわたって形成してあるので、段部７４とフランジ壁３３とを規制リブ４６によって左右幅方向の全体にわたって連続して遮断でき、先の連続折曲面による侵入阻止作用に加えて、毛屑の侵入をさらに確実に防止できる。スイッチパネル４１が透明なプラスチック材で形成してある場合には、その内面に侵入した毛屑が不衛生な印象を与えるが、このような不具合を確実に防止できる。
【００３７】
また、スイッチノブ４２を切り換え操作する場合や、スイッチパネル４１の上部に作用する外力によって、スイッチパネル４１が前ケース１ａ側へ押し付けられる場合には、モーター４、受壁３４、前ケース１ａの挟持壁７５、およびガイド凹部４３が協同してスイッチパネル４１を受け止めるので、先の外力によってスイッチパネル４１が撓み変形するのをよく防止でき、したがってスイッチノブ４２を安定した状態でスライド操作できる。なお、モーター４の後面側は、後ケース１ｂの内面に設けた上下一対の受リブ７６と、受リブ７６より上方に設けられて、モーター４の上隅を受け止める挟持部７７とによって受け止められている。
【００３８】
上記の実施例以外に、メイン刃２はロータリー式の切刃構造とすることができる。節度機構は、スイッチノブ４２とパネル凹部３９の側壁３９ｓとの間に設けることができる。この発明は、きわ剃刃３を備えていない電気かみそりにも適用できる。その場合には、上区室３８は省略され、その開口部分は前ケース１ａと一体の壁によって塞がれる。また、ガイド凹部４３およびスイッチノブ４２の左右幅は、きわ剃刃３の左右幅を基準にして、これと同等かそれ以上の幅に設定して、スイッチノブ４２の操作性を確保する。
【００３９】
スイッチパネル４１の撓み変形を防ぐうえで必要があれば、受壁３４を下方へ延長し、受壁３４、挟持壁７５、ガイド凹部壁の三者で囲まれる部分に、受壁３４と接当するリブを前ケース１ａと一体に設けると、スイッチパネル４１の撓み変形をさらに確実に防止することができるであろう。
【図面の簡単な説明】
【００４０】
【図１】電気かみそりの正面図である。
【図２】電気かみそりの側面図である。
【図３】電気かみそりの分解断面図である。
【図４】電気かみそりの縦断正面図である。
【図５】電気かみそりの縦断側面図である。
【図６】かみそりヘッドの縦断側面図である。
【図７】きわ剃刃の姿勢切り換え構造を示す斜視図である。
【図８】電気かみそりの指当リブ部分における横断平面図である。
【符号の説明】
【００４１】
１  本体ケース
１ａ  前ケース
２  メイン刃
３  きわ剃刃
４  モーター
１０  モーターホルダー
３８  上区室
３９  パネル凹部
３９ｓ  パネル凹部の側面
４１  スイッチパネル
４２  スイッチノブ
４２ｓ  スイッチノブのノブ側面
４３  ガイド凹部
４４  ストッパー部
【図１】
0004811919.tif 000002
【図２】
0004811919.tif 000003
【図３】
0004811919.tif 000004
【図４】
0004811919.tif 000005
【図５】
0004811919.tif 000006
【図６】
0004811919.tif 000007
【図７】
0004811919.tif 000008
【図８】
0004811919.tif 000009